(57)【特許請求の範囲】
【請求項１】
少なくとも略断面を垂直な差込片と該差込片の途中を凹状に窪ませた固定溝と該固定溝の下端を屈曲させた水切り片と該水切り片の先端を垂下させて形成した化粧片とからなる係止体と、垂直なカバー片と該カバー片の上端をコ字状に折り返して形成した差込溝とからなるカバー体からなり、係止体の差込片にカバー体の差込溝を嵌合することにより一体化することを特徴とする壁用端部カバー材。
【発明の詳細な説明】
【０００１】
【発明の属する技術分野】
本発明は、主に外装用に使用される壁材の端部（水切り部、軒天部、壁材同士の目地部）を外観良く被覆することができ、しかも施工性、防水性に優れた壁用端部カバー材に関するものである。
【０００２】
【従来の技術】
従来、水切り材やジョイント材等の壁用端部カバー材は、外装材の裏側に敷く敷目板と、外装材の表面に設置し、敷目板に嵌合、装着させるカバーとの２部材構成のものが殆どであった。
【０００３】
【発明が解決しようとする課題】
しかしながら、従来技術のような壁用端部カバー材では、外装材の厚みの変化には対応しにくく、外装材の厚みに対応してそれぞれ別部材を用意する必要があった。また、その施工は外装材の施工の前に敷目板を予め施工しておかなければならず、手順が複雑となるものであった。
【０００４】
【課題を解決するための手段】
本発明はこのような課題を解決するために、略断面を垂直な差込片と差込片の途中を凹状に窪ませた固定溝と固定溝の下端を屈曲させた水切り片と水切り片の先端を垂下させて形成した化粧片とからなる係止体と、垂直なカバー片とカバー片の上端をコ字状に折り返して形成した差込溝とからなるカバー体からなり、係止体の差込片にカバー体の差込溝を嵌合することにより一体化する壁用端部カバー材としたので、外装材施工後に壁用端部カバー材を後施工できるので、手順が簡単で施工しやすい。また、外装材の厚みが異なっても１つの部材で対応できる壁用端部カバー材を提案するものである。
【０００５】
【発明の実施の形態】
以下に図面を用いて、本発明に係る壁用端部カバー材について詳細に説明する。図１は壁用端部カバー材Ａの代表例の説明図であり、係止体Ｂとカバー体Ｃの２部材から構成される長尺体からなるものである。
【０００６】
係止体Ｂは例えば図２に示すようなものであり、形状としては略断面を垂直な差込片１と、差込片１の途中を凹状に窪ませた固定溝２と、固定溝２の下端を屈曲させた水切り片３と、水切り片３の先端を垂下させて形成した化粧片４とからなるものである。さらに、固定溝２には一定ピッチで形成した貫通孔５を複数形成したものである。
【０００７】
差込片１は後記するカバー体Ｃの差込溝８を装着して一体化する部分である。また、固定溝２は係止体Ｂを釘やビス等の固定具βを介して下地材αに取り付けるための部分であり、固定溝２内に形成した貫通孔５は固定具β打設の際のガイドや係止体Ｂの割れ防止として機能するものである。
【０００８】
水切り片３および化粧片４は、外装材Ｄの端部を外観良く被覆する部分であり、また、流下してくる雨水等を効率よく流出させ、内部に浸入しないようにし、防水性を向上させるものである。
【０００９】
また、係止体Ｂの素材としては、耐候性、耐久性に優れた素材が好ましく、例えば、各種金属薄板（鉄、アルミニウム、銅、ステンレス、チタン、アルミ・亜鉛合金メッキ鋼板、ガルバリウム鋼板、ホーロー鋼板、クラッド鋼板、フッ素樹脂鋼板、ラミネート鋼板（塩ビ鋼板等）、サンドイッチ鋼板、制振鋼板、勿論、これらを各種色調に塗装したカラー板を含む）や、合成樹脂板、セラミック板、各種窯業系板等を押出成形、ロール成形、プレス成形して所定形状に形成したものである。
【００１０】
カバー体Ｃは例えば図３に示すようなものであり、形状としては略断面を垂直なカバー片６と、カバー片６の上端をコ字状に折り返した挿入片７と、カバー片６と挿入片７とから形成される差込溝８からなるものである。
【００１１】
差込溝８は係止体Ｂの差込片１を嵌挿し、係止体Ｂにカバー体Ｃを一体に装着する部分である。挿入片７は外装材Ｄの表面に接する部分であり、密着することにより雨水等の浸入を防止するものである。また、カバー片６は係止体Ｂを固定している固定具βを被覆するものであり、美観性と防水性を向上するものである。
【００１２】
なお、図ではカバー片６の下端部に舌片９を形成したものであり、舌片９は係止体Ｂの固定溝２と密着するとともに、嵩上げとして機能し内部に空隙を形成することができ、毛細管現象を防止して雨水が浸入するのを防止できるものである。
【００１３】
カバー体Ｃの素材としては、係止体Ｂと同様な素材、形成方法から形成することができるものである。さらに、防水性や弾性を用いた嵌合を考慮すれば、このほかにも軟質樹脂、ゴム等やこれらの発泡体等を用いるのも好ましいものである。
【００１４】
次に壁用端部カバー材Ａの施工例を図４〜図６を用いて簡単に説明する。図４は一般的な土台水切り部の構造を示すものであり、図において、１０は基礎、１１は土台、１２は柱、１３は通気性防水シート、αは胴縁等からなる下地材、Ｄは乾式の外装材を示すものである。
【００１５】
まず、図４に示すように、外装材Ｄの下端部に係止体Ｂを当接し、矢印のとおりその固定溝２、外装材Ｄを介して固定具βにより下地に取り付け固定するものである。次に、図５に示すようにカバー体Ｃの差込溝８を矢印のとおり係止体Ｂの差込片１に、差し込んで一体に装着し、図６に示すように施工を行うものである。
【００１６】
以上説明したのは、本発明に係る壁用端部カバー材Ａであり、図７〜図９に示すような断面形状の壁用端部カバー材Ａとすることもできる。
【００１７】
すなわち、図７（ａ）は化粧片４の下端を屈曲した傾斜化粧片１４を形成した例、図７（ｂ）は差込片１の裏側に挟持片１５を形成し、カバー体Ｃの挟持力を向上した例、図７（ｃ）は固定溝２の下部に突出片１６を形成し、カバー体Ｃの納まりを向上した例、図７（ｄ）はカバー片の下部に凹溝１７を形成し、空隙を形成することにより毛細管現象を防止し、雨水の浸入を防止した例、図７（ｅ）、（ｆ）は固定溝２の下端を延長して外装材Ｄと接する支持片１８を形成した例、図７（ｇ）は固定溝２に形成した貫通孔５周辺の厚みを増厚して、固定具β打設の際の衝撃により、割れやひび等が入り難くした例である。
【００１８】
図８（ａ）はカバー片６の先端に防水ヒレ１９を複数形成し、防水性を向上した例、図８（ｂ）は固定溝２の裏面側に両面テープ２０を貼着した例、図８（ｃ）、（ｄ）は化粧片４の途中に、化粧リブ２１を形成した例、図８（ｅ）、（ｆ）は差込片１もしくは差込溝８の一方あるいは両方にノコギリ刃状の係合突起２２を形成し、爪嵌合させることにより係合力を強化した例、図８（ｇ）は水切り片３の先端を突出した突出リブ２３を形成した例、図８（ｈ）は、水切り片３と舌片９との隙間を、シーリング材２４で充填し、防水性を向上した例である。
【００１９】
図９（ａ）は水切り片３の途中に上方に突出させた突起２５を形成し、カバー体Ｃの納まりを改良した例、図９（ｂ）は化粧片４とカバー片６の長さと高さを略同一とし、納まりよく外観を向上した例である。
【００２０】
図９（ｃ）〜（ｅ）は係止体Ｂを特に薄金属板をロールフォーミング成形して形成したものであり、図９（ｄ）は固定溝２内に固定具β打設用のガイドリブ２６を形成したものである。勿論、これらを各々組み合わせた壁用端部カバー材Ａとすることもできる。
【００２１】
さらに、図１０、図１１は壁用端部カバー材Ａの使用例を示すものであり、図１０は外装材Ｄ同士の目地部のジョイント材として使用した例、図１１は表面に段差がある外装材Ｄの表面をジョイントする例を示すものである。
【００２２】
【発明の効果】
以上説明したように、本発明に係る壁用端部カバー材によれば、▲１▼外装材施工後に壁用端部カバー材を後施工できるので、手順が簡単で施工しやすい。▲２▼また、外装材の厚みが異なっても１つの部材で対応できる。▲３▼その他、施工性、防水性、美観性に優れる。等の特徴、効果がある。
【図面の簡単な説明】
【図１】本発明に係る壁用端部カバー材の代表例を示す説明図である。
【図２】図１で用いられた係止体の例を示す説明図である。
【図３】図１で用いられたカバー体の例を示す説明図である。
【図４】本発明に係る壁用端部カバー材の施工例を示す説明図である。
【図５】本発明に係る壁用端部カバー材の施工例を示す説明図である。
【図６】本発明に係る壁用端部カバー材の施工例を示す説明図である。
【図７】本発明に係る壁用端部カバー材のその他の例を示す説明図である。
【図８】本発明に係る壁用端部カバー材のその他の例を示す説明図である。
【図９】本発明に係る壁用端部カバー材のその他の例を示す説明図である。
【図１０】本発明に係る壁用端部カバー材のその他の例を示す説明図である。
【図１１】本発明に係る壁用端部カバー材のその他の例を示す説明図である。
【符号の説明】
Ａ  壁用端部カバー材
Ｂ  係止体
Ｃ  カバー体
Ｄ  外装材
α  下地材
β  固定具
１  差込片
２  固定溝
３  水切り片
４  化粧片
５  貫通孔
６  カバー片
７  挿入片
８  差込溝
９  舌片
１０  基礎
１１  土台
１２  柱
１３  通気性防水シート
１４  傾斜化粧片
１５  挟持片
１６  突出片
１７  凹溝
１８  支持片
１９  防水ヒレ
２０  両面テープ
２１  化粧リブ
２２  係合突起
２３  突出リブ
２４  シーリング材
２５  突起
２６  ガイドリブ
【図１】
0004055972.tif 000002
【図２】
0004055972.tif 000003
【図３】
0004055972.tif 000004
【図４】
0004055972.tif 000005
【図５】
0004055972.tif 000006
【図６】
0004055972.tif 000007
【図７】
0004055972.tif 000008
【図８】
0004055972.tif 000009
【図９】
0004055972.tif 000010
【図１０】
0004055972.tif 000011
【図１１】
0004055972.tif 000012